(57)【要約】【課題】基礎がゆがむことがなく、組み立てる際に、１つ１つのパーツをさらに分割して重量を軽くし、そのため運搬が容易でかつ施工性もよく、多くケーブルの立あがりに基礎から直接器具箱では曲げきれない場合にも基礎とその上に載置する器具箱との間に下箱を設けることなく前記ケーブルの曲げに対応できる水平組み立て基礎用ブロックを提供する。【解決手段】端部から水平方向に張り出す張り出し壁を有し、複数個に分割された下段ブロックユニットをつなぎ合わせて方形状の下枠壁を構成する下段ブロックと、下段ブロック上に載置され、接続される複数個に分割された中段ブロックをつなぎ合わせて方形状をなす中間枠壁を構成する中段ブロックと、中間枠壁上に載置され、接続される前記下段ブロックと同等の構成を有し、前記張り出し壁を上側に向けて配置された上枠壁を構成する下段ブロックとを有することを特徴とする。【選択図】  図１
2020007820.tif 000002
【特許請求の範囲】
【請求項１】
端部から水平方向に張り出す張り出し壁を有し、複数個に分割された下段ブロックユニットをつなぎ合わせて方形状の下枠壁を構成する下段ブロックと、
前記下段ブロック上に載置され、接続される複数個に分割された中段ブロックをつなぎ合わせて方形状をなす中間枠壁を構成する中段ブロックと、
前記中間枠壁上に載置され、接続される前記下段ブロックと同等の構成を有し、前記張り出し壁を上側に向けて配置された上枠壁を構成する下段ブロックと、
を有することを特徴とする水平組み立て基礎用ブロック。
【請求項２】
下段ブロックと、下段ブロックの上に積み重ねられる中段ブロックと、該中段ブロックの上に積み重ねられる中段ブロックの各々のつなぎ目は異なる箇所に設けた、
ことを特徴とする請求項１記載の水平組み立て基礎用ブロック。
【請求項３】
前記積み上げられた下枠壁、中間枠壁及び上枠壁の隅角部外側には縦方向に連続する縦状平面状面取り部が設けられ、前記隅角部内側には縦方向に連続する縦状平面状面形成部が設けられ、該面形成部に添接された連結板と該連結板を固定する取付具により前記積み上げられた下枠壁、中間枠壁及び上枠壁が連結された、
ことを特徴とする請求項１または請求項２記載の水平組み立て基礎用ブロック。
【請求項４】
前記中間枠壁の側面には外側に張り出す計測台が取り付けられた、
ことを特徴とする請求項１、請求項２または請求項３記載の水平組み立て基礎用ブロック。
【請求項５】
前記下枠壁、中間枠壁及び上枠壁は、四角形の枠状になるよう構成された、
ことを特徴とする請求項１、請求項２、請求項３または請求項４記載の水平組み立て基礎用ブロック。
【発明の詳細な説明】
【技術分野】
【０００１】
本発明は、例えば、鉄道線路近傍位置等に設けられ、それら鉄道関連施設に使用される通信ケーブル群あるいは通信機器を収納する器具箱の基礎施工に使用される基礎用ブロックに関するものである。
【背景技術】
【０００２】
一般に鉄道関連施設等に使用される通信ケーブル群や通信機器を収納する器具箱は、例えば鉄道の線路脇等に設けられる。そして、敷設された器具箱の基礎は、従来、木製型枠を組んでその中にコンクリートを流し込み、脱型後に板状の基礎壁用部材を製造し、これらを現場で組み立ててコンクリート基礎を施工していた。
【０００３】
しかしながら、従来の基礎は、経年で傾いてしまったり沈下もあいまって水平を保持できず、基礎がゆがむとの課題があった。
また、従来の基礎では、組み立てる際に、１つ１つのパーツが重く、そのため施工性が悪いとの課題があった。
さらに、近年通信ケーブルなどが多くなってしまい、ケーブルの立あがりに基礎から直接器具箱では曲げきれないので器具箱に下箱をつけ、前記ケーブルの曲げに対応しなければならないとの課題もあった。
【先行技術文献】
【特許文献】
【０００４】
【特許文献１】特開２０１４−１２５８３０号公報
【発明の概要】
【発明が解決しようとする課題】
【０００５】
かくして、本発明は前記従来の課題を解決するために創案されたものあり、経年劣化により傾いてしまったり沈下もあいまって水平を保持できずに基礎がゆがむことがなく、また、組み立てる際に、１つ１つのパーツをさらに分割して重量を軽くし、そのため運搬が容易でかつ施工性もよく、さらには近年通信ケーブルなどが多くケーブルの立あがりに基礎から直接器具箱では曲げきれない場合にも基礎とその上に載置する器具箱との間に下箱を設けることなく前記ケーブルの曲げに対応できる水平組み立て基礎用ブロックを提供することを目的とするものである。
【課題を解決するための手段】
【０００６】
かくして本発明による水平組み立て基礎用ブロックは、
端部から水平方向に張り出す張り出し壁を有し、複数個に分割された下段ブロックユニットをつなぎ合わせて方形状の下枠壁を構成する下段ブロックと、
前記下段ブロック上に載置され、接続される複数個に分割された中段ブロックをつなぎ合わせて方形状をなす中間枠壁を構成する中段ブロックと、
前記中間枠壁上に載置され、接続される前記下段ブロックと同等の構成を有し、前記張り出し壁を上側に向けて配置された上枠壁を構成する下段ブロックと、
を有することを特徴とし、
または、
下段ブロックと、下段ブロックの上に積み重ねられる中段ブロックと、該中段ブロックの上に積み重ねられる中段ブロックの各々のつなぎ目は異なる箇所に設けた、
ことを特徴とし、
または、
前記積み上げられた下枠壁、中間枠壁及び上枠壁の隅角部外側には縦方向に連続する縦状平面状面取り部が設けられ、前記隅角部内側には縦方向に連続する縦状平面状面形成部が設けられ、該面形成部に添接された連結板と該連結板を固定する取付具により前記積み上げられた下枠壁、中間枠壁及び上枠壁が連結された、
ことを特徴とし、
または、
前記中間枠壁の側面には外側に張り出す計測台が取り付けられた、
ことを特徴とし、
または、
前記下枠壁、中間枠壁及び上枠壁は、四角形の枠状になるよう構成された、    ことを特徴とするものである。
【発明の効果】
【０００７】
本発明による水平組み立て基礎用ブロックによれば、
経年劣化により傾いてしまったり沈下もあいまって水平を保持できず、基礎がゆがむことがなく、また、組み立てる際に、１つ１つのパーツをさらに分割して重量を軽くし、そのため運搬が容易でかつ施工性もよく、さらには近年通信ケーブルなどが多くケーブルの立あがりに基礎から直接器具箱では曲げきれない場合にも基礎とその上に載置する器具箱との間に下箱を設けることなく前記ケーブルの曲げに対応できるとの優れた効果を奏する。
【図面の簡単な説明】
【０００８】
【図１】本発明による実施例の構成を説明する説明図（その１）である。
【図２】本発明による実施例の構成を説明する説明図（その２）である。
【図３】本発明による実施例の構成を説明する説明図（その３）である。
【図４】本発明による下段ブロックの構成を説明する説明図である。
【図５】本発明による下段ブロックを上枠壁の形成に使用した場合の説明図である。
【図６】本発明による中段ブロックの構成を説明する説明図（その１）である。
【図７】本発明による中段ブロックの構成を説明する説明図（その２）である。
【発明を実施するための形態】
【０００９】
以下、本発明の好適な実施例を図に基づいて説明する。
まず、本発明による水平組み立て基礎用ブロック１は、方形状の形状からなる下枠壁４を有する。そして、該下枠壁４は、水平方向に張り出す張り出し壁２を有すると共に、複数個に分割された下段ブロック３をつなぎ合わせて構成されて方形状の下枠壁４となる。
【００１０】
図に示す実施例では、下段ブロック３は２分割型とされており、平面から見て略凹状をなして形成され、これらの端部に設けられたつなぎ目１２同士がつなぎ合わされて四角枠形状の下枠壁４になるよう構成されている。
尚、つなぎ目１２は、段差状に形成されており、つなぎ合わせたとき、幅方向にずれないよう工夫されている。
【００１１】
また、下枠壁４を形成する下段ブロック３は、この図に示す実施例に限定されるものではなく、下段ブロック３を３分割型にしてもあるいは４分割型にしても、それ以上の多数分割型にしても構わない。
さらに、下枠壁４の形状も四角形に限定されず、５角形や６角形の多角形状でも構わない。
【００１２】
次に、図に示すように下枠壁４に設けられる張り出し壁２の隅角部は各々面取りされてＲ部として形成され、その部分がほかの部材と接触するなどにより欠損するのを防止している。
【００１３】
また、下枠壁４を構成する各々の下段ブロック３の隅角部外側も面取りされて縦平面状の面取り部５が設けられ、該面取り部５に対向する隅角部内側も同様な縦平面状の面形成部６として構成されている。これら面取り部５及び面形成部６は後述するが水平組み立て基礎用ブロック１組み立ての際の各々のブロック同士の連結に使用される。
【００１４】
次に、本発明による水平組み立て基礎用ブロック１は、中間枠壁７を有する。該中間枠壁７は、前記下枠壁４上に載置され、下枠壁４と接続される。
また、該中間枠壁７は、複数個に分割された中段ブロック８をつなぎ合わせて方形枠状をなす様、すなわち下枠壁４と同じ方形状の形状になるよう構成されている。
【００１５】
図に示す例では、中間枠壁７は、４つの中段ブロック８を四角形の枠状につなぎ合わせて構成してある。すなわち、図から理解されるように１つの中段ブロック８は略Ｌ字状をなして構成され、該Ｌ字状をなす中段ブロック８を４つ用意し、これらをつなぎ合わせて四角形枠状の中間枠壁７としている。
【００１６】
尚、この中段ブロック８についても、その隅角部外側は各々面取りされて縦平面状の面取り部５が設けられ、該面取り部５に対向する隅角部内側においても同様な縦平面状の面形成部６として構成されている。これら面取り部５及び面形成部６も後述するが水平組み立て基礎用ブロック１組み立ての際の連結に使用されるものとなる。
【００１７】
そして、図に示す実施例では、前記中段ブロック８によって構成された中間枠壁７は、２段連続して積み上げられている。しかし、この例に限定されるものではなく、中間枠壁７は１段だけでも構わないし、２段以上積み上げるタイプでも構わない。
【００１８】
さらに、本発明による水平組み立て基礎用ブロック１では、上枠壁９を有している。該上枠壁９は、前記中間枠壁７上に載置され、中間枠壁７に接続される。
【００１９】
なお、該上枠壁９は、前述した下段ブロック３で構成された下枠壁４と同様の構成からなっており、下枠壁４を天地逆にして上枠壁９として使用するものとしている。すなわち、張り出し壁２が水平組み立てブロック１の上面になるよう天地逆にして載置され、取り付けられる。この様に下枠壁４と上枠壁９とを同様の下段ブロック３を使用して同様の形状とすれば、部品点数を減らすことが出来、製造コストも安価にすることが出来る。
【００２０】
ここで、本発明による水平組み立て基礎ブロック１の組み立て、設置につき説明する。
まず、鉄道の線路近傍箇所などの位置を掘削し、設置面が水平になった設置箇所を形成する。そして、その設置面に、一対の下段ブロック３を略四角状の枠体にするべく、つなぎ合わせて水平にして設置する。
【００２１】
一対の下段ブロック３の上面には所定箇所にガイド孔１０が複数個設けられており、それらのガイド孔１０には、ガイドピン１１が差し込まれて突出してある。
【００２２】
次いでその上に４つの中段ブロック８を方形状につなぎ合わせながら載置していく。中段ブロック８の上面及び下面にも所定間隔をおいてガイド孔１０が設けられており、前記下段ブロック３のガイド孔１０に差し込んだガイドピン１１を中段ブロック８の下面に設けられたガイド孔１０内に嵌め込んで下段ブロック３と中段ブロック８とを接続していく。この様にして下枠壁４の上に中間枠壁７が積み重ねられる。さらに図に示す実施例ではもう一段中間枠壁７が積み重ねられる。
【００２３】
図から理解されるように、下枠壁４上に中段ブロック８が積み重ねられているが、その中段ブロック８の上に積み重ねられる中段ブロック８はつなぎ目１２を同じ位置にして積み重ねてはいない。一段目の中段ブロック８と二段目の中段ブロック８とはつなぎ目１２をずらして積み重ねてある。つなぎ目１２をずらして積み重ねることにより基礎ブロックの強固な組み立てが実現できる。
【００２４】
三段目に積み重ねられた中間枠壁７の上に、下段ブロック３を天地逆にして、すなわち逆さまにして中間枠壁７の上に積み重ね上枠壁９を形成するのである。
【００２５】
そして、その後、前記隅角部内側に形成された連続する縦状の面形成部６に連結のための連結板１３を添接する。この連結板１３には縦方向に所定間隔をおいて連結孔１４が穿設されており、前記隅角部外側の面取り部５に設けられた貫通孔１５からボルトなどの取付具１６を差し込み、連結板１３の連結孔１４を貫通させてナットなどの締結具１７で締結し、全体のブロックを強固に連結する。
尚、符号１８は計測台であり、中間枠壁７の側面から外側に張り出して取り付けられている。
【００２６】
そして、図に示される様に本発明による水平組み立て基礎ブロック１の上面には器具箱が取り付けられ、各種の通信ケーブルや通信機器が収納されるものとなる。
【符号の説明】
【００２７】
１    水平組み立て基礎用ブロック
２    張り出し壁
３    下段ブロック
４    下枠壁
５    面取り部
６    面形成部
７    中間枠壁
８    中段ブロック
９    上枠壁
１０  ガイド孔
１１  ガイドピン
１２  つなぎ目
１３  連結板
１４  連結孔
１５  貫通孔
１６  取付具
１７  締結具
１８  計測台
【図１】
2020007820.tif 000003
【図２】
2020007820.tif 000004
【図３】
2020007820.tif 000005
【図４】
2020007820.tif 000006
【図５】
2020007820.tif 000007
【図６】
2020007820.tif 000008
【図７】
2020007820.tif 000009